(57)【特許請求の範囲】
【請求項１】
電動送風機が内蔵された掃除機本体と、
前記電動送風機の吸込み側に配設され、前記電動送風機により吸引された含塵空気中の塵を空気と分離する塵分離手段と、
この塵分離手段で分離された塵が収容される集塵部と、
前記塵分離手段の下流側で前記電動送風機の吸込み側に配設され前記塵分離手段を通過した空気中の塵をろ過して空気と分離するフィルターと、
このフィルターに捕捉された塵を落とす電動式の塵落し手段と、
前記電動送風機の排気出口から排出される排気を導いて、この排気で、前記フィルターから落とされた塵を前記集塵部に移動させるとともに、前記塵分離手段を通過した前記排気を前記電動送風機の吸込み口に導く排気循環路と、
この排気循環路の内の前記排気出口から前記フィルターに至る排気通路部に設けられ、塵の臭いを分解する消臭成分を電気的に生成して前記排気通路部を通る前記排気に与える消臭手段と、
この消臭手段、前記電動送風機、及び前記塵落し手段の運転を制御して前記フィルターを清掃するフィルター清掃モードを有し、このモードで前記排気が循環されている途中において前記塵落し手段の運転を停止させるとともにこの時点以降も前記電動送風機及び前記消臭手段の運転を継続させる制御手段と、
を具備したことを特徴とする電気掃除機。
【請求項２】
前記フィルター清掃モードにおいて、前記塵落し手段の運転が停止された時点以降に、前記電動送風機の回転数をそれ以前の回転数より低くなるように前記電動送風機の運転を前記制御手段で制御したことを特徴とする請求項１に記載の電気掃除機。
【請求項３】
電動送風機が内蔵された掃除機本体と、
前記電動送風機の吸込み側に配設され、前記電動送風機により吸引された含塵空気中の塵を空気と分離する塵分離手段と、
この塵分離手段で分離された塵が収容される集塵部と、
前記塵分離手段の下流側で前記電動送風機の吸込み側に配設され前記塵分離手段を通過した空気中の塵をろ過して空気と分離するフィルターと、
このフィルターに捕捉された塵を落とす電動式の塵落し手段と、
前記電動送風機の排気出口から排出される排気を導いて、この排気で、前記フィルターから落とされた塵を前記集塵部に移動させるとともに、前記塵分離手段を通過した前記排気を前記電動送風機の吸込み口に導く排気循環路と、
この排気循環路の内の前記排気出口から前記フィルターに至る排気通路部に設けられ、塵の臭いを分解する消臭成分を電気的に生成して前記排気通路部を通る前記排気に与える消臭手段と、
この消臭手段、前記電動送風機、及び前記塵落し手段を運転して前記フィルターを清掃するフィルター清掃モードを有し、このモードで前記排気が循環されている途中において前記電動送風機の回転数をそれ以前の回転数より低くなるように前記電動送風機の運転を制御するとともに、この時点以降も前記塵落し手段及び前記消臭手段の運転を継続させる制御手段と、
を具備したことを特徴とする電気掃除機。
【発明の詳細な説明】
【技術分野】
【０００１】
本発明は、空気と塵をろ過により分離するフィルターに捕捉された塵を、電動式の塵落し手段、及び塵の臭いを分解して消臭する消臭手段を備えた電気掃除機に関する。
【背景技術】
【０００２】
従来、掃除作業が所定時間以上中断されたとき、及び掃除作業が完了した直後に、空気と塵をろ過により分離するフィルターに捕捉された塵を、電動式の除塵手段によって落すとともに、落された塵をフィルターの上流側に設けられている集塵部に機械的手段で移動させるようにした電気掃除機が知られている(例えば、特許文献１参照。)。
【０００３】
この特許文献１の電気掃除機が備える除塵手段は、フィルターに捕捉された塵を物理的に落すものである。具体的には、プリーツフィルターからなるフィルターが回転可能に設けられていて、このフィルターを電動モータで回転させることにより、フィルターのプリーツの回転軌跡と交差して設けられている除塵部材で、プリーツを弾くことによって、塵落しをするようになっている。
【０００４】
又、従来、互いに接続されたフレキシブルホース、ホース本体、接続口接続部により形成された循環手段の両端を、掃除機本体の接続口と吸込口とに接続して、電動送風機から出る５０℃〜６０℃の排気空気をフィルターに臨んでいる集塵室に循環させるとともに、この循環する排気空気に、吸込口を有する吸込通気路に配設された負イオン発生電極により負イオンを送り込むようにした電気掃除機が知られている（例えば、特許文献２参照。）。更に、この特許文献２では有害微生物の殺菌効果としてはオゾンを用いる方が優れていると言及している。
【０００５】
この特許文献２では負イオンと循環する加熱空気との相乗効果により集塵室内の塵埃中の有害微生物を殺除するようになっている。
【特許文献１】特開2007-14624号公報（段落0009-0056、図１−図１０）
【特許文献２】特開平7-327873号公報（段落0017、0021-0025、図１−図３）
【発明の開示】
【発明が解決しようとする課題】
【０００６】
特許文献１は、フィルターに捕捉された塵を、除塵手段で落とすとともに集塵部に移動させる電気掃除機について開示しているが、塵を原因とする臭いを除去することについては言及していない。フィルターに捕捉された塵の臭いを消臭できるようにすることは、電気掃除機の付加価値を高める上で好ましい。
【０００７】
特許文献２に記載されたオゾンを用いることで、殺菌とともに消臭もできることは一般的に知られている。このオゾンによる消臭は、悪臭を物理的に吸着して消臭効果を得るのではなく、悪臭を分解して消臭効果を得るものである。
【０００８】
そのため、特許文献２での排気循環の技術とオゾンによる消臭技術を引用文献１の電気掃除機に適用すれば、付加価値を高めることが可能である。しかし、こうした組み合わせを有した電気掃除機を実現するに際しては、種々の解決すべき課題が考えられる。
【０００９】
すなわち、本発明者の研究により以下の点が見出された。
【００１０】
具体的には、塵に対する消臭をするには、その効率化を図ることが好ましい。
【００１１】
又、特許文献２の消臭技術では、循環される排気が、通常の掃除のときと同じくフィルターを通過するに伴い、塵がフィルターに吸付けられてしまう。このため、特許文献２の消臭技術引用文献１の電気掃除機に適用しても、排気循環が行われている間に塵落し手段が動作する構成では、フィルターからの塵落しがし難い。
【００１２】
更に、フィルターの塵を落すから塵に対する塵落しフィルターに捕捉された塵を落す電動式の除塵手段は、掃除作業が所定時間以上中断されたとき、及び掃除作業が完了した直後に運転されるので、その運転時間は短くて良い。これに対して、消臭はフィルターに捕捉された塵だけではなく集塵部内の塵に対しても施すことが好ましいので、この消臭に要する時間は、前記塵落し手段の運転時間よりも長めに必要である。このため、消臭が終わるまで除塵手段が運転されること、及び電動送風機が高回転を継続することは、電力消費が増える点で好ましくないだけではなく、除塵手段によってフィルターに物理的な力が与えられて例えばプリーツが弾かれる度に発生する大きな騒音や、高回転に伴う電動送風機の騒音が、消臭が終わるまで継続するので好ましくない。
【００１３】
本発明の目的は、フィルターに捕捉された塵を落とし易いとともに、この塵と集塵部内の塵に対する消臭ができる、かつ、消臭に伴う騒音と電力消費を低減できる電気掃除機を提供することにある。
【課題を解決するための手段】
【００１４】
本発明は、塵分離手段を通過した塵をろ過により空気と分離するフィルター用の電動式の塵落し手段、排気循環路、消臭手段、制御手段、を備える。そして、排気循環路で、電動送風機の排気出口から排出される排気を導いて、フィルターから落とされる塵を塵分離手段及び塵が収容される集塵部に移動させるとともに、消臭手段により電気的に生成されて塵の臭いを分解する消臭成分を、排気循環路中の排気出口からフィルターに至る排気通路部を通る排気に与え、かつ、制御手段のフィルター清掃モードによって、消臭手段、電動送風機、及び塵落し手段の運転が制御されて排気が循環されている途中において塵落し手段の運転を停止させるとともに、この時点以降も電動送風機及び消臭手段の運転を継続させるようにしたことを特徴としている。
【００１５】
本発明では、フィルター清掃モードの実行による電動送風機の運転に伴い循環される排気が形成された場合、フィルターに塵を吸付けないように排気が循環されるので、排気循環がされている最中に動作される塵落し手段により、塵分離手段の下流側に設けられたフィルターに捕捉されている塵を容易に落すことができる。
【００１６】
又、本発明では、塵落しによりフィルターから落とされた塵が循環する排気に乗って集塵部に移動されるとともに、消臭手段で生成された消臭成分が集塵部に移動される排気に与えられるので、フィルターから落とされて集塵部に移動される塵と消臭成分との接触の機会が高められて、効率よく塵の臭いを分解して消臭できる。更に、本発明では、塵落し手段の運転停止後も、排気が循環されるとともに消臭手段の運転が継続するので、排気に乗って集塵部に到達する消臭成分により、集塵部内に溜められた塵の臭いも分解して消臭できる。
【００１７】
これとともに、本発明では、消臭手段の運転が停止される以前に塵落し手段の運転が停止される。このため、消臭手段の運転が停止されるまで継続して塵落し手段が運転される場合に比較し、塵落しの騒音が継続する時間が短くなり、消臭に伴う騒音を低減できるとともに電力消費も低減できる。
【発明の効果】
【００１８】
本発明の電気掃除機によれば、フィルターに捕捉された塵を落とし易いとともに、この塵と集塵部内の塵に対する消臭ができ、かつ、消臭に伴う騒音と電力消費を低減できる、という効果がある。
【発明を実施するための最良の形態】
【００１９】
図１〜図３を参照して本発明の一実施形態を説明する。
【００２０】
図１中符号１は例えばキャニスタ型の電気掃除機Ａが備える掃除機本体を示している。この掃除機本体１の前部は本体吸塵口（図示しない）を有しており、この本体吸塵口には、同じく図示しない吸込み風路体が接続される。吸込み風路体は、吸塵口に接続される可撓性の吸塵ホースと、このホースの先端に着脱可能に接続される延長管と、この延長管の先端又はホースの先端のいずれかを選択してそこに着脱可能に接続される吸込み口体とを有している。掃除機本体１の後部には排気部２が設けられている。この排気部２は後述する電動送風機１１から流出する空気（排気）が通過可能である。
【００２１】
掃除機本体１はその後部側に第１の仕切り３によって仕切られた送風機室１ａを有している。送風機室１ａは排気部２に連通している。第１の仕切り３は、前向きに突出する吸気筒部３ａを有し、この吸気筒部３ａに吸気口４が形成されている。第１の仕切り３は通気部３ｂを有している。
【００２２】
吸気筒部３ａの前端開口を閉じるようにして第２の仕切り５が第１の仕切り３に組み合わされている。これら第１の仕切り３と第２の仕切り５とによって、これらの間に吸気室６が形成されている。吸気室６は吸気口４を通して吸気筒部３ａ内に連通している。
【００２３】
掃除機本体１内には、後述する電動送風機１１の吸込み側に位置して第３の仕切り７と第４の仕切り８が設けられている。第４の仕切り８は第１の仕切り３及び第２の仕切り５よりも前側(上流側)に配設され、第３の仕切り７は第４の仕切り８よりも前側(上流側)で図示しない前記本体吸塵口の真後ろに配設されている。
【００２４】
掃除機本体１の送風機室１ａに電動送風機１１が内蔵されている。電動送風機１１は、その吸込み口１１ａを前側(上流側)に向けて第１の仕切り３等に支持されている。吸込み口１１ａは吸気筒部３ａ内に位置されている。電動送風機１１は、その後部に排気出口１１ｂを有している。
【００２５】
掃除機本体１に臨んで塵分離手段例えば一次フィルター１５が設けられている。一次フィルター１５は、含塵空気中の塵を例えばろ過して空気と分離するものであって、図示しない前記本体吸塵口の下流側、具体的には、第３の仕切り７と第４の仕切り８との間に配設されている。
【００２６】
掃除機本体１内に、集塵部例えば集塵室１６と、第１の通気室１７が設けられている。集塵室１６は、一次フィルター１５とその前側（上流側）に配設されている第３の仕切り７との間に形成されている。第１の通気室１７は、一次フィルター１５とその後側（下流側）に配設されている第４の仕切り８との間に形成されている。
【００２７】
集塵室１６とその前側(上流側)の本体吸塵口との間を仕切った第３の仕切り７には、第１の電動式開閉手段例えば第１の電磁開閉弁１３が取付けられている。第１の電磁開閉弁１３は、オフ状態（非通電状態）では開弁状態を保持し、オン(通電状態)では閉弁状態を保持する。この第１の電磁開閉弁１３が開弁されている場合に、集塵室１６と本体吸塵口とが連通されるようになっている。
【００２８】
一次フィルター１５を通過した細かな塵をろ過により空気と分離する二次フィルター１８が設けられている。二次フィルター１８は、最終フィルターとして機能するものであって、第４の仕切り８と第１の仕切り３及び第２の仕切り５と間に配設されている。この二次フィルター１８は、例えばプリーツフィルターからなり、そのメッシュは一次フィルター１５のメッシュより小さい。二次フィルター１８のプリーツ(襞)は上下方向に延びている。
【００２９】
掃除機本体１内に、第２の通気室１９と第３の通気室２０が設けられている。第１の通気室１７の下流側に設けられる第２の通気室１９は、二次フィルター１８とその前側（上流側）に配設されている第４の仕切り８との間に形成されている。第２の通気室１９の下流側に設けられる第３の通気室２０は、二次フィルター１８とその後側（下流側）に配設されている第２の仕切り５との間に形成されている。
【００３０】
第１の通気室１７と第２の通気室１９との間を仕切った第４の仕切り８には、第２の電動式開閉手段例えば第２の電磁開閉弁２１が取付けられている。第２の電磁開閉弁２１は、オフ状態（非通電状態）では開弁状態を保持し、オン(通電状態)では閉弁状態を保持する。この第２の電磁開閉弁２１が開弁されている場合に、第１の通気室１７と第２の通気室１９とが連通されるようになっている。
【００３１】
二次フィルター１８とその後側（下流側）に配設されている第２の仕切り５との間に、第３の通気室２０が形成されている。第２の仕切り５は、第３の通気室２０と吸気筒部３ａ内及び吸気室６とを仕切っている。この第２の仕切り５には第３の電動式開閉手段例えば第３の電磁開閉弁２３が取付けられている。第３の電磁開閉弁２３は、オフ状態（非通電状態）では開弁状態を保持し、オン(通電状態)では閉弁状態を保持する。この第３の電磁開閉弁２３が開弁されている場合に、第３の通気室２０と吸気筒部３ａ内とが連通されるようになっている。
【００３２】
掃除機本体1には第１の通気路２５が設けられている。第１の通気路２５の一端は集塵室１６に接続され、第１の通気路２５の他端は第２の通気室１９に接続されている。したがって、第１の通気路２５を介して集塵室１６と第２の通気室１９が連通されている。
【００３３】
第１の通気路２５にはその例えば一端部に位置して第４の電動式開閉手段例えば第４の電磁開閉弁２６が取付けられている。第４の電磁開閉弁２６は、オフ状態（非通電状態）では閉弁状態を保持し、オン(通電状態)では開弁状態を保持する。この第４の電磁開閉弁２６が開弁されている場合に、集塵室１６と第２の通気室１９とが連通されるようになっている。
【００３４】
二次フィルター１８の上流側の面１８ａに臨んだ掃除機本体１内の第２の通気室１９は、第１の仕切り３の通気部３ｂを通って前記送風機室１ａに連通可能である。通気部３ｂには第５の電動式開閉手段例えば第５の電磁開閉弁２７が取付けられている。第５の電磁開閉弁２７は、オフ状態（非通電状態）では閉弁状態を保持し、オン(通電状態)では開弁状態を保持する。この第５の電磁開閉弁２７が開弁されている場合に、送風機室１ａと第２の通気室１９とが連通されるようになっている。
【００３５】
掃除機本体1には第２の通気路２８が設けられている。第２の通気路２８の一端は第１の通気室１７に接続され、第２の通気路２８の他端は吸気室６に接続されている。したがって、第２の通気路２８を介して第１の通気室１７と吸気室６が連通されている。
【００３６】
第２の通気路２８にはその例えば一端部に位置して第６の電動式開閉手段例えば第６の電磁開閉弁２９が取付けられている。第６の電磁開閉弁２９は、オフ状態（非通電状態）では閉弁状態を保持し、オン(通電状態)では開弁状態を保持する。この第６の電磁開閉弁２９が開弁されている場合に、第１の通気室１７と吸気室６とが連通されるようになっている。
【００３７】
前記送風機室１ａ、通気部３ｂ、第２の通気室１９、第１の通気路２５、集塵室１６、第１の通気室１７、第２の通気路２８、吸気室６、吸気口４、吸気筒部３ａ内は、この記載順に電動送風機１１から排出された排気を導く排気循環路をなしている。この排気循環路は、電動送風機１１の排気出口１１ｂから二次フィルター１８の上流側の面１８ａに排気を導く排気通路部１ｂを含んでいる。
【００３８】
排気通路部１ｂは、掃除機本体１内での前記排気循環路で導かれる排気の流れを基準として、二次フィルター１８の上流側に設けられている。具体的には、掃除機本体１の壁と第１の仕切り３との間に排気通路部１ｂが設けられていて、その出口は通気部３ｂによって形成されている。
【００３９】
この排気通路部１ｂに消臭手段例えばオゾン発生器からなる消臭装置３１が配設されている。この消臭装置３１は、対をなした電極間に高電圧を掛けることによるプラズマ状態を生成して、消臭成分としてオゾンを発生するものであり、こうして電気的に生成されたオゾンを、排気通路部１ｂを通る排気中に放出するようになっている。
【００４０】
掃除機本体１の例えば第３の通気室２０には塵落し手段をなす塵落し装置３３が配設されている。この塵落し装置３３は、図２に示す塵落しモータ３３ａを備え、この塵落しモータ３３ａを動力源として動作される加振要素（図示しない）を有している。加振要素は、塵落しモータ３３ａが運転されることに伴い、二次フィルター１８の後面側の襞と直行する方向に往復移動して襞を弾き、それにより、二次フィルター１８に振動を与えるようになっている。
【００４１】
掃除機本体１には制御手段をなす制御装置３５が設けられている。この制御装置３５を含んだ図２の電気回路中符号４１は商用交流電源を示し、符号４２は電源装置、４３，４４はトライアックなどの電流制御素子を示している。電源装置４２は、商用交流電源４１から供給される例えば１００Ｖの交流を直流に変え、その直流を制御装置３５、塵落しモータ３３ａ、及び前記排気循環路に設けられた各電磁開閉弁１３，２１，２３，２６，２７，２９等に供給する。電動送風機１１に直列接続されたトライアック４３は、その導通角を制御装置３５で制御されることによって電動送風機１１への入力の大きさを制御する。それにより、電動送風機１１の回転速度が制御される。消臭装置３１に直列接続されたトライアック４４は、その導通角を制御装置３５で制御されることによって消臭装置３１への入力の大きさを制御する。それにより、消臭装置３１の運転がオンーオフ制御される。
【００４２】
制御装置３５は図示しない前記吸込み風路体の手元操作部を用いて使用者によって与えられる指令に応じて電気掃除機Ａ全般の制御を担う。
【００４３】
この制御での通常の掃除モードでは、制御装置３５により、第１の電磁開閉弁１３、第２の電磁開閉弁２１、及び第３の電磁開閉弁２３の夫々が開弁状態に維持されるとともに、第４の電磁開閉弁２６、第５の電磁開閉弁２７、及び第６の電磁開閉弁２９の夫々が閉弁状態に保持される。
【００４４】
この状態で電動送風機１１が運転されることにより、以下の気流の流れが形成されて掃除が行われる。
【００４５】
つまり、掃除機本体１内にその本体吸塵口から吸込まれた含塵空気は、まず、開いている第１の電磁開閉弁１３を通って集塵室１６に至り、次いで、一次フィルター１５によって塵と空気とに分離される。これにより、分離された粗塵が集塵室１６に溜められる。この一方で、一次フィルター１５を通過して第１の通気室１７に至った空気は、開いている第２の電磁開閉弁２１を通って第２の通気室１９に至り、次いで、二次フィルター１８によって塵と空気とに分離される。これにより、二次フィルター１８の上流側の面１８ａに細塵が捕捉される一方で、この二次フィルター１８を通過して第３の通気室２０に至った空気が、開いている第３の電磁開閉弁２３を通り、更に、吸気筒部３ａを通って電動送風機１１に吸込まれる。そして、電動送風機１１の排気出口１１ｂから送風機室１ａに流出された排気は、掃除機本体１の排気部２を通って掃除機本体１の外部に排出される。以上の気流の流れを図１中実線で示す。
【００４６】
制御装置３５はフィルター清掃モードを有している。このモードは、掃除作業が所定時間以上中断されたとき、及び掃除作業が完了した直後に、制御装置３５が、排気循環路に設けられた各電磁開閉弁１３，２１，２３，２６，２７，２９を開閉制御するとともに、消臭装置３１及び塵落しモータ３３ａ等の運転を制御することで実行される。
【００４７】
すなわち、図３を参照して制御装置３５により実行されるフィルター清掃モードを説明する。このモードが開始されると、まず、準備として、制御装置３５により、第１の電磁開閉弁１３、第２の電磁開閉弁２１、及び第３の電磁開閉弁２３の夫々が閉弁状態に維持されるとともに、第４の電磁開閉弁２６、第５の電磁開閉弁２７、及び第６の電磁開閉弁２９の夫々が開弁状態に保持される。
【００４８】
準備完了後の第１ステップＳ１として、制御装置３５は、消臭装置３１に通電する（消臭装置ＯＮ）とともに、電動送風機１１を高回転させる入力制御を行う。この場合の入力は、通常の掃除において電動送風機１１に与えられる最大の入力よりも低く、例えば８００Ｗの入力が電動送風機１１に与えられる。
【００４９】
それによる電動送風機１１の運転に伴い、その吸気負圧が、排気循環路をなす吸気筒部３ａ内、吸気口４、吸気室６、第２の通気路２８、第１の通気室１７、集塵室１６、第１の通気路２５、第２の通気室１９、及び通気部３ｂに、この記載順に波及するので、電動送風機１１の排気出口１１ｂから送風機室１ａに出た排気は、送風機室１ａの排気通路部１ｂを経て通気部３ｂを通って第２の通気室１９に流出する。これにより、図１中点線矢印で示すように電動送風機１１の排気が排気循環路を通って循環する。なお、この場合、排気の一部が排気部２から外に流出することは前記吸気負圧の作用により妨げられる。
【００５０】
以上のように循環する排気流には、排気通路部１ｂにおいて消臭装置３１が生成したオゾンが供給されるので、オゾンを含んだ排気は、前記循環の過程で、二次フィルター１８をその厚み方向に通過することなく、上流側の面１８ａに沿って上方から下方に向けて流動し、更に、第１の通気路２５を経て集塵室１６に達する。
【００５１】
そして、本実施形態は、既述のように電動送風機１１を高回転で運転しているので、オゾンを含んだ排気が二次フィルター１８の前面(面１８ａ)に吹き当たって、この前面に捕捉されている細塵を下方に吹き飛ばすことができる点で好ましい。
【００５２】
次の第２ステップＳ２として、制御装置３５は、塵落し装置３３の塵落しモータ３３ａを運転する。そのため、塵落し装置３３の加振要素により二次フィルター１８の襞が弾かれて振動するので、二次フィルター１８に捕捉されている塵が落とされる。こうして物理的に落とされて第２の通気室１９内に浮遊する塵は、オゾンを含んだ排気に乗って移動される。
【００５３】
この場合、循環する排気は、二次フィルター１８の上流側の面１８ａに沿って流れた後、集塵室１６を通リ、更に、第２の通気路２８を経由することにより、二次フィルター１８を迂回するようにして電動送風機１１の吸込み口１１ａに吸込まれるので、既述のように排気が二次フィルター１８をその厚み方向に通過することがない。言い換えれば、電動送風機１１の吸気負圧が、二次フィルター１８に対してその後側（下流側）から作用して、二次フィルター１８の上流側の面１８に塵が吸付けられることがない。このため、二次フィルター１８に対する塵落し装置３３による塵落しが容易に行われて、第２の通気室１９を流通する排気の流れに乗せて集塵室１６に移動させることができる。
【００５４】
以上のように二次フィルター１８から落とされて集塵室１６に移動される浮遊塵に、消臭装置３１により生成されたオゾン（消臭成分）が作用するので、これら浮遊塵とオゾンとの接触の機会が高められるので、効率よく、塵の臭いをオゾンにより分解して消臭できるとともに、オゾンにより塵を殺菌できる。勿論、前記消臭及び殺菌作用は二次フィルター１８自体に対しても与えられる。そして、既述のように循環する排気で塵を二次フィルター１８から吹き飛ばす本実施形態では、前記接触の機会がより高められるので、消臭効率をより向上する上で好ましい。
【００５５】
引き続く第３ステップとして、制御装置３５は、フィルター清掃モードの開始時点から所定時間ｔ１が経過したか否かを判断する。ｔ１は、例えば１０秒である。既述のように掃除作業が所定時間以上中断されたとき、及び掃除作業が完了した直後に、フィルター清掃モードが実行されることから、その段階では二次フィルター１８に捕捉されている塵は、固まる等して強い付着力を発現することはない。そのため、１０秒間の塵落し装置３３の運転により、二次フィルター１８に捕捉されている塵を十分に落すことができる。第３ステップＳ３での判断がＮＯの場合、既述した二次フィルター１８の塵落し及び落とされた塵に対する消臭及び殺菌が継続してなされる。
【００５６】
前記判断がＹＥＳとなった場合、次の第４ステップＳ４として、制御装置３５は、塵落し装置３３の塵落しモータ３３ａを停止させる。しかし、電動送風機１１の運転及び消臭装置３１の運転は継続したままである。
【００５７】
引き続く、第５ステップＳ５として、制御装置３５は、フィルター清掃モードの開始時点から所定時間ｔ２が経過したか否かを判断する。ｔ２は、例えば２０〜３０秒である。この第５ステップＳ５での判断がＮＯの場合、電動送風機１１の運転及び消臭装置３１の運転が継続されるので、集塵室１６に溜まっている粗塵、及び消臭殺菌を施されて第２の通気室１９から移送されて集塵室１６内の粗塵等に付着した細塵に対して、オゾンを含んだ排気が作用する。これにより、集塵室１６内に溜められた塵についてのオゾンによる消臭と殺菌とが施される。
【００５８】
第５ステップＳ５の判断がＹＥＳとなった場合、次の第６ステップＳ６として、制御装置３５は、消臭装置３１及び電動送風機１１の運転を停止して、フィルター清掃モードの運転を終了する。
【００５９】
したがって、以上のフィルター清掃モードによって、循環する排気の流れで二次フィルター１８に塵が吸付けられることがないので、二次フィルター１８に捕捉された塵を塵落し装置３３の運転により容易に落すことができるとともに、塵落し中に二次フィルター１８から落とされた塵の臭いを分解して消臭できる。しかも、消臭装置３１の運転が停止される以前に塵落し装置３３手段の運転が停止されるので、この時点以降、塵落しの際に二次フィルター１８が弾かれることに伴う騒音発生がなくなり、静かに消臭を継続できるとともに電力消費を低減できる。更に、塵落し装置３３の運転停止後も、排気が循環されるとともに消臭装置３１の運転が継続するので、集塵室１６に到達するオゾンにより、集塵室１６内の塵の臭いも分解して消臭できる。
【００６０】
図４を参照して本発明の第２実施形態を説明する。第２実施形態は、制御装置が有したフィルター清掃モード以外は、図示されない構成を含めて第１実施形態と同じであるので、図１、図２を必要により参照してフィルター清掃モードを説明する。
【００６１】
このフィルター清掃モードも、掃除作業が所定時間以上中断されたとき、及び掃除作業が完了した直後に、制御装置３５が、排気循環路に設けられた各電磁開閉弁１３，２１，２３，２６，２７，２９を開閉制御するとともに、消臭装置３１及び塵落しモータ３３ａ等の運転を制御することで実行される。
【００６２】
すなわち、このフィルター清掃モードが開始されると、まず、準備として、制御装置３５により、第１の電磁開閉弁１３、第２の電磁開閉弁２１、及び第３の電磁開閉弁２３の夫々が閉弁状態に維持されるとともに、第４の電磁開閉弁２６、第５の電磁開閉弁２７、及び第６の電磁開閉弁２９の夫々が開弁状態に保持される。
【００６３】
準備完了後の第１ステップＳ１１として、制御装置３５は、消臭装置３１に通電する（消臭装置ＯＮ）する。これにより、消臭装置３１はオゾンを生成して、送風機室１ａの排気通路部１ｂに放出する。
【００６４】
次の第２ステップＳ１２として、制御装置３５は、塵落し装置３３の塵落しモータ３３ａを運転するとともに、電動送風機１１を高回転させる入力制御を行う。この場合の入力は、通常の掃除において電動送風機１１に与えられる最大の入力よりも低く、例えば８００Ｗの入力が電動送風機１１に与えられる。
【００６５】
塵落しモータ３３ａが運転されることに伴い、塵落し装置３３の加振要素により二次フィルター１８の襞が弾かれて振動するので、二次フィルター１８に捕捉されている塵が落とされる。
【００６６】
これとともに、電動送風機１１の運転に伴い、その吸気負圧が、排気循環路をなす吸気筒部３ａ内、吸気口４、吸気室６、第２の通気路２８、第１の通気室１７、集塵室１６、第１の通気路２５、第２の通気室１９、及び通気部３ｂに、この記載順に波及するので、電動送風機１１の排気出口１１ｂから送風機室１ａに出た排気は、送風機室１ａの排気通路部１ｂを経て通気部３ｂを通って第２の通気室１９に流出する。これにより、図１中点線矢印で示すように電動送風機１１の排気が排気循環路を通って循環する。なお、この場合、排気の一部が排気部２から外に流出することは前記吸気負圧の作用により妨げられる。
【００６７】
以上のように循環する排気流には、排気通路部１ｂにおいて消臭装置３１が生成したオゾンが供給されるので、オゾンを含んだ排気は、前記循環の過程で、二次フィルター１８の上流側の面１８ａに沿って上方から下方に向けて流動し、更に、第１の通気路２５を経て集塵室１６に達する。
【００６８】
そして、本実施形態は、既述のように電動送風機１１を高回転で運転しているので、オゾンを含んだ排気が二次フィルター１８の前面(面１８ａ)に吹き当たって、この前面に捕捉されている細塵を下方に吹き飛ばすことができる点で好ましい。
【００６９】
既述のように塵落し装置３３の運転により二次フィルター１８に捕捉されている塵が物理的に落とされて第２の通気室１９内に浮遊し、この塵がオゾンを含んだ排気に乗って移動される。
【００７０】
この場合、循環する排気は、二次フィルター１８の上流側の面１８ａに沿って流れた後、集塵室１６を通リ、更に、第２の通気路２８を経由することにより、二次フィルター１８を迂回するようにして電動送風機１１の吸込み口１１ａに吸込まれるので、既述のように排気が二次フィルター１８をその厚み方向に通過することがない。言い換えれば、電動送風機１１の吸気負圧が、二次フィルター１８に対してその後側（下流側）から作用して、二次フィルター１８の上流側の面１８に塵が吸付けられることがない。このため、二次フィルター１８に対する塵落し装置３３による塵落しが容易に行われて、第２の通気室１９を流通する排気の流れに乗せて集塵室１６に移動させることができる。
【００７１】
以上のように浮遊して集塵室１６に移動される塵に、消臭装置３１により生成されたオゾン（消臭成分）が作用するので、これら浮遊塵とオゾンとの接触の機会が高められるので、効率よく、塵の臭いをオゾンにより分解して消臭できるとともに、オゾンにより塵を殺菌できる。勿論、前記消臭及び殺菌作用は二次フィルター１８自体に対して与えられる。そして、既述のように循環する排気で塵を二次フィルター１８から吹き飛ばす本実施形態では、前記接触の機会がより高められるので、消臭効率をより向上する上で好ましい。
【００７２】
引き続く第３ステップ１３として、制御装置３５は、フィルター清掃モードの開始時点から所定時間ｔ１が経過したか否かを判断する。ｔ１は、例えば１０秒である。既述のように掃除作業が所定時間以上中断されたとき、及び掃除作業が完了した直後に、フィルター清掃モードが実行されることから、その段階では二次フィルター１８に捕捉されている塵は、固まる等して強い付着力を発現することはない。そのため、１０秒間の塵落し装置３３の運転により、二次フィルター１８に捕捉されている塵を十分に落すことができる。第３ステップＳ１３での判断がＮＯの場合、既述した二次フィルター１８の塵落し及び清掃と落とされた塵に対する消臭及び殺菌が継続してなされる。
【００７３】
前記判断がＹＥＳとなった場合、次の第４ステップＳ１４として、制御装置３５は、塵落し装置３３の塵落しモータ３３ａを停止させるとともに、電動送風機１１を低回転させる入力制御を行う。この場合、例えば３００Ｗの入力が電動送風機１１に与えられる。しかし、消臭装置３１の運転は継続したままである。以上のように電動送風機１１が低回転されるまでの段階で、二次フィルター１８に対する塵落しが十分になされているので、これ以降は、排気を二次フィルターに強く吹き付ける必要がないとともに、排気循環路を流れる排気としては、オゾンを集塵室１６に到達させるに足る程度の流れがあればよい。
【００７４】
引き続く、第５ステップＳ１５として、制御装置３５は、フィルター清掃モードの開始時点から所定時間ｔ２が経過したか否かを判断する。ｔ２は、例えば２０〜３０秒である。この第５ステップＳ１５での判断がＮＯの場合、電動送風機１１の運転及び消臭装置３１の運転が継続されるので、集塵室１６に溜まっている粗塵、及び消臭殺菌を施されて第２の通気室１９から移送されて集塵室１６内の粗塵等に付着した細塵に対して、オゾンを含んだ排気が作用する。これにより、集塵室１６内に溜められた塵についてのオゾンによる消臭と殺菌とが施される。
【００７５】
第５ステップＳ１５の判断がＹＥＳとなった場合、次の第６ステップＳ１６として、制御装置３５は、消臭装置３１及び電動送風機１１の運転を停止して、フィルター清掃モードの運転を終了する。
【００７６】
したがって、以上のフィルター清掃モードによって、以上のフィルター清掃モードによって、循環する排気の流れで二次フィルター１８に塵が吸付けられることがないので、二次フィルター１８に捕捉された塵を塵落し装置３３の運転により容易に落すことができるとともに、塵落し中に二次フィルター１８から落とされた塵の臭いを分解して消臭できる。しかも、消臭装置３１の運転が低回転となると同時に塵落し装置３３手段の運転が停止されるので、この時点以降、塵落しの際に二次フィルター１８が弾かれることに伴う騒音発生がなくなり、静かに消臭を継続できるとともに電力消費も低減できる。加えて、電動送風機１１の回転が低回転となるので、電動送風機１１の運転に伴う音も低減されるので、より静音化を促進できるとともに、電動送風機１１での電力消費についても低減できる。更に、塵落し装置３３の運転停止後も、排気が循環されるとともに消臭装置３１の運転が継続するので、集塵室１６に到達するオゾンにより、集塵室１６内の塵の臭いも分解して消臭できる。
【００７７】
図５を参照して本発明の第３実施形態を説明する。第３実施形態は、制御装置が有したフィルター清掃モード以外は、図示されない構成を含めて第１実施形態と同じであるので、図１、図２を必要により参照してフィルター清掃モードを説明する。
【００７８】
このフィルター清掃モードも、掃除作業が所定時間以上中断されたとき、及び掃除作業が完了した直後に、制御装置３５が、排気循環路に設けられた各電磁開閉弁１３，２１，２３，２６，２７，２９を開閉制御するとともに、消臭装置３１及び塵落しモータ３３ａ等の運転を制御することで実行される。
【００７９】
すなわち、このフィルター清掃モードが開始されると、まず、準備として、制御装置３５により、第１の電磁開閉弁１３、第２の電磁開閉弁２１、及び第３の電磁開閉弁２３の夫々が閉弁状態に維持されるとともに、第４の電磁開閉弁２６、第５の電磁開閉弁２７、及び第６の電磁開閉弁２９の夫々が開弁状態に保持される。
【００８０】
準備完了後の第１ステップＳ２１として、制御装置３５は、消臭装置３１に通電する（消臭装置ＯＮ）する。これにより、消臭装置３１はオゾンを生成して、送風機室１ａの排気通路部１ｂに放出する。これとともに、第１ステップＳ２１において、制御装置３５は、塵落し装置３３の塵落しモータ３３ａを運転する。塵落しモータ３３ａが運転されることに伴い、塵落し装置３３の加振要素により二次フィルター１８の襞が弾かれて振動するので、二次フィルター１８に捕捉されている塵が落とされる。
【００８１】
次の第２ステップＳ２２として、制御装置３５は、電動送風機１１を高回転させる入力制御を行う。この場合の入力は、通常の掃除において電動送風機１１に与えられる最大の入力よりも低く、例えば８００Ｗの入力が電動送風機１１に与えられる。
【００８２】
電動送風機１１の運転に伴い、その吸気負圧が、排気循環路をなす吸気筒部３ａ内、吸気口４、吸気室６、第２の通気路２８、第１の通気室１７、集塵室１６、第１の通気路２５、第２の通気室１９、及び通気部３ｂに、この記載順に波及するので、電動送風機１１の排気出口１１ｂから送風機室１ａに出た排気は、送風機室１ａの排気通路部１ｂを経て通気部３ｂを通って第２の通気室１９に流出する。これにより、図１中点線矢印で示すように電動送風機１１の排気が排気循環路を通って循環する。なお、この場合、排気の一部が排気部２から外に流出することは前記吸気負圧の作用により妨げられる。
【００８３】
以上のように循環する排気流には、排気通路部１ｂにおいて消臭装置３１が生成したオゾンが供給されるので、オゾンを含んだ排気は、前記循環の過程で、二次フィルター１８の上流側の面１８ａに沿って上方から下方に向けて流動し、更に、第１の通気路２５を経て集塵室１６に達する。
【００８４】
そして、本実施形態は、既述のように電動送風機１１を高回転で運転しているので、オゾンを含んだ排気が二次フィルター１８の前面（面１８ａ）に吹き当たって、この前面に捕捉されている細塵を下方に吹き飛ばすことができる点で好ましい。
【００８５】
既述のように塵落し装置３３の運転により二次フィルター１８に捕捉されている塵が物理的に落とされて第２の通気室１９内に浮遊し、この塵がオゾンを含んだ排気に乗って移動される。
【００８６】
この場合、循環する排気は、二次フィルター１８の上流側の面１８ａに沿って流れた後、集塵室１６を通リ、更に、第２の通気路２８を経由することにより、二次フィルター１８を迂回するようにして電動送風機１１の吸込み口１１ａに吸込まれるので、既述のように排気が二次フィルター１８をその厚み方向に通過することがない。言い換えれば、電動送風機１１の吸気負圧が、二次フィルター１８に対してその後側（下流側）から作用して、二次フィルター１８の上流側の面１８に塵が吸付けられることがない。このため、二次フィルター１８に対する塵落し装置３３による塵落しが容易に行われて、第２の通気室１９を流通する排気の流れに乗せて集塵室１６に移動させることができる。
【００８７】
以上のように二次フィルター１８から落とされて集塵室１６に移動される浮遊塵に、消臭装置３１により生成されたオゾン（消臭成分）が作用するので、これら浮遊塵をオゾンとの接触の機会が高められるので、効率よく、塵の臭いをオゾンにより分解して消臭できるとともに、オゾンにより塵を殺菌できる。勿論、前記消臭及び殺菌作用は二次フィルター１８自体に対して与えられる。そして、既述のように循環する排気で塵を二次フィルター１８から吹き飛ばす本実施形態では、前記接触の機会がより高められるので、消臭効率をより向上する上で好ましい。
【００８８】
引き続く第３ステップ２３として、制御装置３５は、フィルター清掃モードの開始時点から所定時間ｔ１が経過したか否かを判断する。ｔ１は、例えば１０秒である。既述のように掃除作業が所定時間以上中断されたとき、及び掃除作業が完了した直後に、フィルター清掃モードが実行されることから、その段階では二次フィルター１８に捕捉されている塵は、固まる等して強い付着力を発現することはない。そのため、１０秒間の塵落し装置３３の運転により、二次フィルター１８に捕捉されている塵を十分に落すことができる。第３ステップＳ２３での判断がＮＯの場合、既述した二次フィルター１８の塵落し及び清掃と落とされた塵に対する消臭及び殺菌が継続してなされる。
【００８９】
前記判断がＹＥＳとなった場合、次の第４ステップＳ２４として、制御装置３５は、電動送風機１１を低回転させる入力制御を行う。この場合例えば３００Ｗの入力が電動送風機１１に与えられる。しかし、消臭装置３１及び塵落し装置３３の塵落しモータ３３ａの運転は継続したままである。
【００９０】
引き続く、第５ステップＳ２５として、制御装置３５は、フィルター清掃モードの開始時点から所定時間ｔ２が経過したか否かを判断する。ｔ２は、例えば２０〜３０秒である。この第５ステップＳ２５での判断がＮＯの場合、電動送風機１１の運転及び消臭装置３１の運転が継続されるので、集塵室１６に溜まっている粗塵、及び消臭殺菌を施されて第２の通気室１９から移送されて集塵室１６内の粗塵等に付着した細塵に対して、オゾンを含んだ排気が作用する。これにより、集塵室１６内に溜められた塵についてのオゾンによる消臭と殺菌とが施される。
【００９１】
第５ステップＳ２５の判断がＹＥＳとなった場合、次の第６ステップＳ２６として、制御装置３５は、消臭装置３１及び電動送風機１１の運転を停止するとともに、塵落しモータ３３ａを停止して、フィルター清掃モードの運転を終了する。
【００９２】
したがって、以上のフィルター清掃モードによって、循環する排気の流れで二次フィルター１８に塵が吸付けられることがないので、二次フィルター１８に捕捉された塵を塵落し装置３３の運転により容易に落すことができるとともに、塵落し中に二次フィルター１８から落とされた塵の臭いを分解して消臭できる。しかも、電動送風機１１が低回転で運転されるので、電動送風機１１の高回転に伴う運転騒音及び電力消費を低減できる。更に、排気が循環されるとともに消臭装置３１の運転が継続するので、集塵室１６に到達するオゾンにより、集塵室１６内の塵の臭いも分解して消臭できる。
【００９３】
なお、本発明は前記各実施形態には制約されない。
【００９４】
例えば、本発明では、電磁式開閉手段として、電磁力などによって通路を閉じる位置と通路から外れて通路を開く位置とにわたって移送される開閉部材を備えたシャッタを用いることができ、この場合も開閉手段が通風の抵抗にならない点で好ましい。集塵部は掃除機本体に着脱可能に取付けられるダストカップにより形成することができる。
【００９５】
本発明で塵分離手段は、サイクロン分離等の慣性分離方式により空気と塵とを分離するものであっても良い。細塵を捕捉するフィルターは、最終フィルターであることを指しており、それ以前に上流側フィルター等の塵分離手段が複数設けられていても良い。
【００９６】
これとともに、前記各実施形態では、塵分離手段が一次フィルターであるので、これは集塵室に臨んで設けられている。しかし、これに代えて、塵分離手段がサイクロン式分離等の慣性分離をするものであって、この塵分離手段とこれで分離された塵を溜める集塵部とが別々に設けられる場合は、塵分離手段を通った空気中の塵を捕捉したフィルターから落とされる塵は、排気によって塵分離手段に移動されるとともにこの塵分離手段を経由して集塵部に溜められる。そのため、本発明では、塵分離手段を通った空気中の塵を捕捉したフィルターから落とされる塵が、最終的に排気によって集塵部に移動されれば良いから、前記フィルターから落とされた塵を塵分離手段及び集塵部の内の少なくとも一方に排気で移動させて実施することができる。
【００９７】
又、本発明で塵落し手段は、フィルターを弾くものに限らず、叩くことでフィルターに振動を与えて塵落しをするもの、或いは、バイブレータによりフィルターを振動させて塵落しをするもの等を使用できる。これとともに、フィルターを弾く塵落し手段では、円形に形成されたプリーツフィルター−を回転可能に設けて、これを電動式の塵落しモータで回転させることに伴い、固定の加振要素でプリーツを弾くようにしても良い。
【００９８】
更に、本発明で消臭成分は、臭いを分解できるものであればオゾンには限定されない。これとともに、臭いを吸着する脱臭剤を排気循環路中に配置して併用することは妨げない。
【図面の簡単な説明】
【００９９】
【図１】本発明の第１実施形態に係る電気掃除機の掃除機本体での気流の流れを概念的に説明する図。
【図２】第１実施形態の電気掃除機の電気的な構成を示す回路図。
【図３】第１実施形態の電気掃除機のフィルターに対する塵落しの手順を示すフローチャート。
【図４】本発明の第２実施形態に係る電気掃除機のフィルターに対する塵落しの手順を示すフローチャート。
【図５】本発明の第３実施形態に係る電気掃除機のフィルターに対する塵落しの手順を示すフローチャート。
【符号の説明】
【０１００】
Ａ…電気掃除機、１…掃除機本体、１ａ…送風気室（排気循環路）、１ｂ…排気通路部、３ａ…吸気筒部（排気循環路）、３ｂ…通気部（排気循環路）、４…吸気口（排気循環路）、６…吸気室（排気循環路）、１１…電動送風機、１１ａ…吸込み口、１１ｂ…排気出口、１３…第１の電磁開閉弁（電動式開閉手段）、１５…一次フィルター（塵分離手段）、１６…集塵室(集塵部)、１７…第１の通気室（排気循環路）、１８…二次フィルター（フィルター）、１９…第２の通気室（排気循環路）、２０…第３の通気室（排気循環路）、２１…第２の電磁開閉弁（電動式開閉手段）、２３…第３の電磁開閉弁（電動式開閉手段）、２５…第１の通気路（排気循環路）、２６…第４の電磁開閉弁（電動式開閉手段）、２７…第５の電磁開閉弁（電動式開閉手段）、２８…第１の通気路（排気循環路）、２９…第６の電磁開閉弁（電動式開閉手段）、３１…消臭装置（消臭手段）、３３ａ…塵落しモータ、３５…制御装置（制御手段）
【図１】
0005075678.tif 000002
【図２】
0005075678.tif 000003
【図３】
0005075678.tif 000004
【図４】
0005075678.tif 000005
【図５】
0005075678.tif 000006